(57)【要約】【目的】  送出レベル設定時の操作性を向上させる。【構成】  複数の入力チャンネルから入力する信号を複数の出力チャンネルに出力する場合の各入力チャンネルから各出力チャンネルへの送出レベルを設定する場合において、その設定の指示を受け付けるミキサ設定画面１００に、マトリクス状に配置されたつまみ１３２を表示し、メインカーソル１３５が位置するつまみ１３２に対応する入力ｃｈと出力ｃｈの組み合わせに係る送出レベルの設定を受け付ける。この際、メインカーソル１３５が位置するつまみ１３２と対応する入力ｃｈから各出力ｃｈへの送出レベルとして設定されている値を出力ｃｈ一覧部１７０に表示し、そのつまみ１３２と対応する出力ｃｈへの各入力ｃｈからの送出レベルとして設定されている値を入力ｃｈ一覧部１６０に表示するようにする。また、つまみ１３２に割り当てられている入力ｃｈと出力ｃｈの範囲を示すカーソル１６４，１７４も表示するようにするとよい。【選択図】        図５
2006094238.tif 000002
【特許請求の範囲】
【請求項１】
Ｍ，Ｎをそれぞれ自然数として、Ｍ個の入力チャンネルから入力する信号をＮ個の出力チャンネルに出力する場合の各入力チャンネルから各出力チャンネルへの送出レベルを設定する送出レベル設定装置であって、
ｍを２以上でＭより小さい自然数、ｎを２以上でＮより小さい自然数として、
ｎ×ｍ個のマトリクス状に配置された操作子を表示する表示手段と、
前記Ｍ個の入力チャンネルのうちｍ個の入力チャンネルからなる入力チャンネル群を選択する第１の選択手段と、
前記Ｎ個の出力チャンネルのうちｎ個の出力チャンネルからなる出力チャンネル群を選択する第２の選択手段と、
選択された出力チャンネル群及び入力チャンネル群に対応するｎ×ｍ個の送出レベルを、前記ｎ×ｍ個の操作子に割り当てる割当手段と、
前記ｎ×ｍ個の操作子のうち１つを選択し、その操作子に割り当てられている送出レベルを、受け付けた操作に応じて変更する送出レベルとする第３の選択手段と、
前記第３の選択手段が選択した操作子に割り当てられている送出レベルに係る入力元である入力チャンネルから前記Ｎ個の各出力チャンネルへの送出レベルの設定状態を前記表示手段に表示させる第１の表示制御手段と、
前記第３の選択手段が選択した操作子に割り当てられている送出レベルに係る出力先である出力チャンネルへの前記Ｍ個の各入力チャンネルからの送出レベルの設定状態を前記表示手段に表示させる第２の表示制御手段とを設けたことを特徴とする送出レベル設定装置。
【請求項２】
請求項１記載の送出レベル設定装置であって、
前記第１の表示制御手段は、前記表示手段に、前記第２の選択手段が選択している出力チャンネル群に属する出力チャンネルを他の出力チャンネルと識別できる形式で前記設定状態の表示を行わせる手段であり、
前記第２の表示制御手段は、前記表示手段に、前記第１の選択手段が選択している入力チャンネル群に属する入力チャンネルを他の入力チャンネルを識別できる形式で前記設定状態の表示を行わせる手段であることを特徴とする送出レベル設定装置。
【発明の詳細な説明】
【技術分野】
【０００１】
この発明は、複数の入力チャンネルから入力する信号を複数の出力チャンネルに出力する場合の各入力チャンネルから各出力チャンネルへの送出レベルを設定する送出レベル設定装置に関する。
【背景技術】
【０００２】
従来から、複数の入力チャンネル（ｃｈ）から入力する信号を、ユーザが設定した送出レベルで複数の出力チャンネル（ｃｈ）に出力する信号処理装置が知られており、このような装置としては、例えば音響信号を取り扱うデジタルミキサ、特にマトリクスミキサが挙げられる。そして、このような装置においては、各入力ｃｈから各出力ｃｈへの信号の送出レベルを個別に設定可能にすることが行われている。
そして、このようなマトリクスミキサの機能を有する音響信号処理装置としては、ミキサエンジンと単体ミキサとが知られている。
【０００３】
前者のミキサエンジンは、本体のユーザインタフェースは電源スイッチと小型表示器程度であって、外部のＰＣ（パーソナルコンピュータ）等によって制御されるミキサ装置である。そして、ＰＣをミキサエンジンに接続し、ＰＣのＯＳ（オペレーティングシステム）上でミキサエンジンの制御プログラムを動作させることにより、ミキサエンジンの信号処理部（ＤＳＰ）で行うミキサ処理の内容を編集したり、そのミキシング処理で使用するパラメータの値を編集したりすることができる。そして、ＰＣからの制御によりミキサエンジンにマトリクスミキサとしての信号処理を実行させることができ、ＰＣの画面上に表示された制御画面でそのパラメータの値を制御することができる。
このようなミキサエンジンとしては、例えば非特許文献１に記載のものが挙げられる。
【０００４】
また、後者の単体ミキサは、本体のユーザインタフェースとして、各々割り当てられたｃｈ（チャンネル）のパラメータの値を調整するための操作子を備える複数のｃｈストリップ，大型表示器，表示器の表示画面を選択したり、その表示画面上でパラメータの選択や設定を行うための画面制御操作子等を有し、単体でパラメータの値の編集が可能なミキサ装置である。そして、上記の各ｃｈストリップには、割り当てられたｃｈの音量を制御するフェーダと、信号のオンオフを行うオンオフスイッチと、上記の表示画面上で割り当てられたｃｈの選択を行うｃｈ選択スイッチ等を設けている。また、各入力ｃｈから複数のミキシングバスへ信号を出力して信号のミキシングが可能であり、入力ｃｈと出力先のミキシングバスの組み合わせ毎に送出レベルの設定が可能である。
このような単体ミキサとしては、例えば非特許文献２に記載のものが挙げられる。
【０００５】
そして、非特許文献１には、送出レベルの設定を可能とするため、表示画面に入力ｃｈと出力ｃｈの組み合わせに対応する操作子をマトリクス状に配置して表示し、その各操作子によって、各入力ｃｈから各出力ｃｈへの信号の送出レベルの設定を個別に受け付けるようにすることが記載されている。
また、非特許文献２には、入力ｃｈ毎に複数の出力バスへの送出レベルを設定するための操作子を表示した表示画面や、出力バス毎に複数の入力ｃｈからの送出レベルを設定するための操作子を表示した表示画面を用意し、これらの表示画面に表示した操作子によって各入力ｃｈから各出力ｃｈへの信号の送出レベルの設定を個別に受け付けるようにすることが記載されている。
【０００６】
さらに、これらの文献には、入力ｃｈや出力ｃｈの数が多く、表示画面中に全ての入力ｃｈや出力ｃｈについての送出レベルと対応する操作子を表示できない場合に、表示画面には一部のｃｈの組み合わせに対応する操作子を表示し、タブや増減操作子等により画面の切り換えを可能として、表示中の画面に応じたｃｈの組み合わせについての送出レベルの設定を受け付けるようにすることが記載されている。
【非特許文献１】「ＤＩＧＩＴＡＬ  ＭＩＸＩＮＧ  ＥＮＧＩＮＥ  ＤＭＥ３２  取扱説明書」，ヤマハ株式会社，２００１年，ｐ．１７３−１７５
【非特許文献２】「ＤＩＧＩＴＡＬ  ＰＲＯＤＵＣＴＩＯＮ  ＣＯＮＳＯＬＥ  ＤＭ２０００  取扱説明書」，ヤマハ株式会社，２００２年，ｐ．８８−９１，１２５−１２６
【発明の開示】
【発明が解決しようとする課題】
【０００７】
ところで、上記の各文献に記載のように送出レベルの設定を可能にする場合において、各ｃｈの組み合わせに関する送出レベルとして設定されている値を、対応する操作子のつまみの位置や向きとして表示したり、その操作子の近傍に数値として表示したりすることが行われている。そして、このような表示を行う場合、表示画面中に全てのｃｈの組み合わせと対応する操作子を表示できない場合には、画面中に表示している操作子と対応する送出レベルの値のみを表示するようにしていた。
【０００８】
従って、入力ｃｈや出力ｃｈの数が多く、表示画面中に全ての入力ｃｈや出力ｃｈについての送出レベルと対応する操作子を表示できない場合には、送出レベルの設定操作を行う際に、画面中に表示されている操作子と対応する送出レベルの値しか参照することができなかった。そして、例えば、ある入力ｃｈからある出力ｃｈへの送出レベルを設定しようとする場合において、設定を行おうとする入力ｃｈから他の出力ｃｈへの送出レベルの値や、設定を行おうとする出力ｃｈへの他の入力ｃｈからの送出レベルの値の状態を、表示画面に表示されている操作子と対応する範囲でしか参照することができなかった。
そして、このような値を参照したければ、参照したい送出レベルを設定するための画面に一旦切り換え、値を参照した後で元の画面に戻って設定のための操作子を操作する必要があり、操作性が悪いという問題があった。
【０００９】
この発明は、このような問題を解決し、複数の入力チャンネルから入力する信号を複数の出力チャンネルに出力する場合の各入力チャンネルから各出力チャンネルへの送出レベルを設定する場合において、設定値を幅広く参照しながら設定を行うことができるようにし、送出レベル設定時の操作性を向上させることを目的とする。
【課題を解決するための手段】
【００１０】
上記の目的を達成するため、この発明の送出レベル設定装置は、Ｍ，Ｎをそれぞれ自然数として、Ｍ個の入力チャンネルから入力する信号をＮ個の出力チャンネルに出力する場合の各入力チャンネルから各出力チャンネルへの送出レベルを設定する送出レベル設定装置において、ｍを２以上でＭより小さい自然数、ｎを２以上でＮより小さい自然数として、ｎ×ｍ個のマトリクス状に配置された操作子を表示する表示手段と、上記Ｍ個の入力チャンネルのうちｍ個の入力チャンネルからなる入力チャンネル群を選択する第１の選択手段と、上記Ｎ個の出力チャンネルのうちｎ個の出力チャンネルからなる出力チャンネル群を選択する第２の選択手段と、選択された出力チャンネル群及び入力チャンネル群に対応するｎ×ｍ個の送出レベルを、上記ｎ×ｍ個の操作子に割り当てる割当手段と、上記ｎ×ｍ個の操作子のうち１つを選択し、その操作子に割り当てられている送出レベルを、受け付けた操作に応じて変更する送出レベルとする第３の選択手段と、上記第３の選択手段が選択した操作子に割り当てられている送出レベルに係る入力元である入力チャンネルから上記Ｎ個の各出力チャンネルへの送出レベルの設定状態を上記表示手段に表示させる第１の表示制御手段と、上記第３の選択手段が選択した操作子に割り当てられている送出レベルに係る出力先である出力チャンネルへの上記Ｍ個の各入力チャンネルからの送出レベルの設定状態を上記表示手段に表示させる第２の表示制御手段とを設けたものである。
このような送出レベル設定装置において、上記第１の表示制御手段を、上記表示手段に、上記第２の選択手段が選択している出力チャンネル群に属する出力チャンネルを他の出力チャンネルと識別できる形式で上記設定状態の表示を行わせる手段とし、上記第２の表示制御手段を、上記表示手段に、上記第１の選択手段が選択している入力チャンネル群に属する入力チャンネルを他の入力チャンネルを識別できる形式で上記設定状態の表示を行わせる手段とするとよい。
【発明の効果】
【００１１】
以上のようなこの発明の送出レベル設定装置によれば、複数の入力チャンネルから入力する信号を複数の出力チャンネルに出力する場合の各入力チャンネルから各出力チャンネルへの送出レベルを設定する場合において、設定値を幅広く参照しながら設定を行うことができるようにし、送出レベル設定時の操作性を向上させることができる。
【発明を実施するための最良の形態】
【００１２】
以下、この発明を実施するための最良の形態を図面に基づいて具体的に説明する。
まず、図１に、この発明の送出レベル設定装置を用いて送出レベルを設定する対象の音響信号処理装置であるデジタルミキサの構成について説明する。図１はそのデジタルミキサの構成を示すブロック図である。
このデジタルミキサ１０は、ＣＰＵ１１，フラッシュメモリ１２，ＲＡＭ１３，表示器１４，操作子１５，ＰＣ入出力部（Ｉ／Ｏ）１６，外部機器Ｉ／Ｏ１７，波形Ｉ／Ｏ１８，信号処理部（ＤＳＰ）１９を備え、これらがシステムバス２０によって接続されている。そして、複数の入力ｃｈから入力する音響信号に対して種々の信号処理を施して複数の出力ｃｈから出力する機能を有する。
【００１３】
なお、このデジタルミキサ１０は、背景技術の項で述べたようなミキサエンジンとして構成することも可能であるし、単体ミキサとして構成することも可能である。そして、前者の場合であれば、主としてＰＣＩ／Ｏ１６に接続されるＰＣ３０からの制御信号に従ってパラメータの設定や動作の制御等を行うようにし、後者の場合であれば、主として操作部１５における操作に従ってパラメータの設定や動作の制御等を行うようにする。そして、これらのどちらとして構成する場合にも共通となる部分が多いので、ここでは双方の構成について並行して説明することにする。
【００１４】
ＣＰＵ１１は、このデジタルミキサ１０の動作を統括制御する制御手段であり、フラッシュメモリ１２に記憶された所要のプログラムを実行することにより、各Ｉ／Ｏ１６〜１８における通信や表示器１４における表示を制御したり、操作子１５の操作を検出してその操作に従って各部の動作を制御したり、ＰＣ３０から受信した信号に基づいて動作の制御やパラメータの値を設定／変更を行ったりといった処理を行う。
フラッシュメモリ１２は、ＣＰＵ１１が実行する制御プログラム等を記憶する書き換え可能な不揮発性記憶手段である。
【００１５】
ＲＡＭ１３は、一時的に記憶すべきデータを記憶したり、ＣＰＵ１１のワークメモリとして使用したりする記憶手段である。
表示器１４は、このデジタルミキサ１０をミキサエンジンとして構成するのであれば、殆どの制御はＰＣ３０から行われるので、シーン番号の表示や単一のパラメータの表示程度ができる小型の表示器でよい。一方、単体ミキサとして構成するのであれば、各ｃｈのパラメータの詳細な設定や、パラメータの複数ｃｈに亘る設定を効率よく行えるように、複数のパラメータを表示したり、設定状態をグラフィカルに表示できたりする大型の表示器とするのがよい。
【００１６】
操作子１５は、このデジタルミキサ１０をミキサエンジンとして構成するのであれば、殆どの制御はＰＣ３０から行われるので、電源スイッチの他には数個のスイッチ程度でよい。一方、単体ミキサとして構成するのであれば、上述したように、複数のｃｈストリップ、画面制御操作子等を備える。そして、画面制御操作子には、画面選択を行うための画面選択操作子、カーソルを上下左右に動かすためのカーソル制御操作子、数値を入力するための数値入力操作子等を含む。さらに、ＰＣの場合と同様なタッチパッドやマウス等を設けるようにしてもよい。
【００１７】
ＰＣＩ／Ｏ１６は、ＰＣ３０と通信を行うためのインタフェースであり、例えばＵＳＢ（Universal Serial Bus）方式のインタフェースとしたり、イーサネット（登録商標）による通信を行うためのインタフェースとすることができる。
外部機器Ｉ／Ｏ１７は、種々の外部機器を接続し入出力を行うためのインタフェースであり、例えば外部のディスプレイ、マウス、文字入力用のキーボード、操作パネル等を接続するためのインタフェースが用意される。そして、本体の表示器１４や操作子１５をごく単純な構成にしたとしても、これらの外部機器を活用することにより、ＰＣ３０を用いずにパラメータの変更／設定や動作指示を行うことができるようにすることもできる。
【００１８】
波形Ｉ／Ｏ１８は、ＤＳＰ１９で処理すべき音響信号の入力を受け付け、また処理後の音響信号を出力するためのインタフェースである。そして、この波形Ｉ／Ｏ１８には、１枚で４チャンネル（ｃｈ）のアナログ入力が可能なＡ／Ｄ変換ボード，１枚で４ｃｈのアナログ出力が可能なＤ／Ａ変換ボード，１枚で８ｃｈのデジタル入出力が可能なデジタル入出力ボードを適宜組み合わせて複数枚装着可能であり、実際にはこれらのボードを介して信号の入出力を行う。
【００１９】
ＤＳＰ１９は、信号処理回路を含み、波形Ｉ／Ｏ１８から入力する音響信号に対し、カレントデータとして設定されている各種処理パラメータに従って、ミキシング、イコライジング等の各種信号処理を施して波形Ｉ／Ｏ１８に出力する信号処理部である。この処理に用いるカレントデータは、ＲＡＭ１３あるいはＤＳＰ１９自身に備えるメモリに記憶しておくことができる。
【００２０】
ここで、図２に、デジタルミキサ１０を単体ミキサとして構成する場合のＤＳＰ１９の構成をより詳細に示す。
この場合、上記のＤＳＰ１９は、図２に示すように、内蔵エフェクタ２３，入力パッチ２４，出力パッチ２５，入力ｃｈ４０，ミキシングバス５０，出力ｃｈ６０を備えている。アナログ入力２１，デジタル入力２２，アナログ出力２６，デジタル出力２７は、波形Ｉ／Ｏ１８に装着する上述したボードによる入出力部を示す。
内蔵エフェクタ２３は、入力する信号に対し、選択されたエフェクトを付与して出力する複数ブロックのエフェクタである。そのチャンネル構成は、モノラル，ステレオ等で切り換え可能となっている。
【００２１】
入力パッチ２４は、アナログ入力２１とデジタル入力２２の各入力及び内蔵エフェクタ２３から入力される信号を、６４ｃｈある入力ｃｈ４０に割り振るための任意結線を行うものである。そして、各入力ｃｈ４０には、入力パッチ２４で割り振られた入力信号が入力する。
また、各入力ｃｈ４０は、入力する信号に対し、イコライザ，ノイズゲート，コンプレッサ，パン，フェーダ，オン等の構成要素による信号処理を行い、その結果を、６４系統あるミキシングバス５０の各系統に対し、設定されている送出レベルの値に従って送出レベルを調整した上で出力する。
【００２２】
また、ミキシングバス５０は、各入力ｃｈ４０からの出力を混合するためのバスであり、各ミキシング出力ｃｈ６０（以下単に「出力ｃｈ」ともいう）と対応して６４系統設けられている。
そして、６４ｃｈある出力ｃｈ６０には、それぞれ各系統のミキシングバス５０において混合された信号が入力する。そして、その各出力ｃｈ６０では、その信号に対し、設定されているパラメータに従ってレベル調整及び出力ＯＮ／ＯＦＦの制御を行って出力する。このとき、イコライザ，ノイズゲート，コンプレッサ等の構成要素による信号処理を併せて行うようにしてもよい。
【００２３】
出力パッチ２５は、各出力ｃｈ６０から入力する信号を、アナログ出力２６とデジタル出力２７の各出力及び内蔵エフェクタ２３に割り振る任意結線を行うものである。そして、１つのｃｈからの信号を複数の出力部に割り振ることも可能である。アナログ出力２６又はデジタル出力２７に割り振られた信号はここから出力され、内蔵エフェクタ２３に割り振られた信号は、ここでの処理の後、再度入力パッチ２４に入力する。
【００２４】
次に、図３に、このＤＳＰ１９のうち、各入力ｃｈ４０からミキシングバス５０への信号の入力に関する部分の構成をより詳細に示す。なお、図３においては、特定の入力ｃｈを指す場合には、「４０−１」、「４０−２」等の沿え字を付した符号を用いているが、以下の説明において、不特定の入力ｃｈを指す場合には、沿え字のない「４０」の符号を用いる。図３に示す他の各構成要素についても同様である。
図３に示す通り、各入力ｃｈ４０には、エフェクト処理部４１、遅延処理部４２、ＯＮ／ＯＦＦスイッチ４３，４６、フェーダ４４，４７、およびプレ／ポストスイッチ４５を備えている。図では入力ｃｈ４０−１のみについて詳細な構成を示しているが、他の入力ｃｈもこれと同様な構成を有する。
【００２５】
そして、エフェクト処理部４１は、イコライザ，ノイズゲート，コンプレッサ，パン等の構成要素により各種信号処理を行う機能を有し、遅延処理部４２は各入力ｃｈ４０から入力する信号に対して遅延処理を行いタイミングを調整する機能を有するが、ここでは詳細な説明は省略する。
ＯＮ／ＯＦＦスイッチ４３は、入力ｃｈ４０から全てのミキシングバス５０への出力ＯＮ／ＯＦＦを一括して切り換えるためのスイッチである。また、フェーダ４４は、入力ｃｈ４０から全てのミキシングバス５０への信号の送出レベルを、一括して調整するためのユニットである。
【００２６】
そして、各入力ｃｈ４０は、フェーダ４４の前段及び後段からミキシングバス５０の各系統に対する出力線を備え、出力先の各系統毎にプレ／ポストスイッチ４５、ＯＮ／ＯＦＦスイッチ４６、およびフェーダ４７を設けている。なお、ミキシングバス５０は出力ｃｈ６０と対応して設けられているので、信号は各出力ｃｈ６０に出力されると言うこともできる。
また、このうちプレ／ポストスイッチ４５は、フェーダ４４の前段の信号を出力するか後段の信号を出力するかを選択するためのスイッチであり、スイッチが符号ａで示した側の端子に接続していれば前段の、ｂで示した側の端子に接続していれば後段の信号を出力することになる。ＯＮ／ＯＦＦスイッチ４６は、入力ｃｈ４０からミキシングバス５０に対する出力のＯＮ／ＯＦＦを、系統毎に設定するためのスイッチであり、フェーダ４７は、同じく信号の送出レベルを系統毎に設定するためのユニットである。これらの各スイッチやユニットは、入力ｃｈ４０と出力ｃｈ６０の組み合わせ毎に設けられている。
また、図には一部のｃｈのみを示しているが、入力ｃｈ４０と出力ｃｈは、それぞれ６４系統ずつ設けている。
【００２７】
次に、図４に、デジタルミキサ１０をミキサエンジンとして構成する場合のミキシングバスの構成を、入力ｃｈや出力ｃｈの構成の一部と共に示す。なお、この図において、図３と対応する構成要素には、図３の場合と同じ符号を付している。
そして、この場合も、図４に示すように、ミキシングバス５０は、Out1からOut64までの６４の出力ｃｈ６０と対応して６４系統設けられており、各系統毎に、In1からIn64までの６４ｃｈの各入力ｃｈ４０から入力する信号を、加算器５１によって順次加算して混合し、対応する出力ｃｈ６０に出力する構成としている。そして、各出力ｃｈ６０にも、ＯＮ／ＯＦＦスイッチ６１とフェーダ６２を設け、ｃｈ毎にＯＮ／ＯＦＦと送出レベルを設定可能としている。
なお、図４においては、入力ｃｈ４０の構成としてＯＮ／ＯＦＦスイッチ４３，４６とフェーダ４４，４８以外は図示を省略している。また、出力ｃｈ６０についても、図４に示したもの以外の信号処理部を設けてよい。
【００２８】
以上の構成により、デジタルミキサ１０をミキサエンジンとして構成する場合であっても、単体ミキサとして構成する場合であっても、ＤＳＰ１９は、各入力ｃｈ４０に入力する信号を、出力ｃｈ毎にあるいは一括して送出レベルやＯＮ／ＯＦＦの調整を行った上で混合し、各出力ｃｈ６０から出力するマトリクスミキサとして機能することができる。そして、以上説明したＤＳＰ１９の各構成要素は、回路によって実現しても、演算処理によって実現してもよい。もちろん、ＤＳＰ１９が以上説明したもの以外の構成要素を有していてもよい。
【００２９】
ところで、図１に示したデジタルミキサ１０は、ＰＣＩ／Ｏ１６に接続されるＰＣ３０から制御可能である。そして、このＰＣ３０は、ハードウェアとしては、ＣＰＵ，ＲＯＭ，ＲＡＭ，ディスプレイ，キーボード，ポインティングデバイス（例えばマウス）等を備えた公知のものでよいが、ＰＣ３０のＣＰＵに所要の制御プログラムを実行させることにより、ユーザがＧＵＩ（グラフィカル・ユーザ・インタフェース）を介してデジタルミキサを制御することができるようにしている。
【００３０】
この制御には、信号処理の開始／終了等の指示の他、図１乃至図４を用いて説明したＤＳＰ１９における信号処理に用いる種々のパラメータの値の設定も含む。そして、このパラメータには、例えば図４に示した各ＯＮ／ＯＦＦスイッチ４３，４６，６１のＯＮ／ＯＦＦや、フェーダ４４，４７，６２によって調整する送出レベルも含む。すなわち、ＰＣ３０は、所要の制御プログラムを実行することにより、デジタルミキサ１０における各入力ｃｈから各出力ｃｈへの信号の送出レベルを設定する送出レベル設定装置として機能させることができる。
また、デジタルミキサ１０を単体ミキサとして構成する場合には、これらのパラメータの値は、主としてデジタルミキサ１０自身の操作子１５の操作に基づき、ＣＰＵ１１の制御によって設定する。従って、この場合にはデジタルミキサ１０自身が送出レベル設定装置として機能することになる。
【００３１】
次に、図５に、ＰＣ３０やデジタルミキサ１０の操作子１５においてこれらのパラメータの値の設定指示を受け付けるためのミキサ設定画面の例を示す。
このミキサ設定画面１００は、ＰＣ３０に備える表示手段であるディスプレイあるいはデジタルミキサ１０の表示器１４に表示されるＧＵＩである。そして、シーン選択部１１０、パラメータ設定部１２０、および設定項目選択部１２１を有する。
このうちシーン選択部１１０は、デジタルミキサ１０の動作を規定するパラメータの値のセットであるシーンの呼び出しや保存を指示するためのエリアである。そして、シーン番号選択部１１１では、直接入力やボタン１１１ａの操作によりシーン番号を選択することができる。シーン名表示部１１２には、現在編集中のシーンの名称を表示し、ここにテキストを入力することによりシーン名の編集もできるようにしている。
【００３２】
そして、ストアキー１１３は、パラメータ設定部１２０にて設定した設定内容を、シーン番号選択部１１１に表示されているシーン番号のシーンとして所定の記憶領域に保存する指示を行うためのキーである。また、リコールキー１１４は、シーン番号選択部１１１に表示されているシーン番号のシーンを所定の記憶領域から読み出す指示の行うためのキーであり、読み出したシーンは、デジタルミキサ１０での信号処理に使用したりパラメータ設定部１２０にて内容を変更したりすることができる状態にする。このとき、パラメータ設定部１２０の表示も、読み出したシーン中のパラメータの値に従って変更する。
【００３３】
また、設定項目選択部１２１は、パラメータ設定部１２０において設定するパラメータの種類を選択するエリアであり、ボタン１２１ａの押下により、パラメータ設定部１２０に表示するＧＵＩを切り換えて種々のパラメータを設定するためのＧＵＩを表示させることができる。そして、図５においては、図４に示した各ＯＮ／ＯＦＦスイッチ４３，４６，６１のＯＮ／ＯＦＦ及びフェーダ４４，４７，６２における送出レベルを設定するためのＧＵＩを表示させた状態を示している。
【００３４】
そして、このＧＵＩは、８×８操作子部１３０，入力設定部１４０，出力設定部１５０，入力ｃｈ一覧部１６０，出力ｃｈ一覧部１７０を有する。
このうち、８×８操作子部１３０には、８行８列のマトリクス状に配置された操作子部１３１を設け、その各操作子部１３１には、それぞれつまみ１３２、送出レベル表示部１３３、およびＯＮ／ＯＦＦ設定スイッチ１３４を設けている。また、入力設定部１４０には、操作子部１３１の各列に対応する入力ｃｈ設定部１４１を設け、その各入力ｃｈ設定部１４１に、それぞれｃｈ名表示部１４２、入力レベル設定部１４３、およびＯＮ／ＯＦＦ設定スイッチ１４４を設けている。また、出力設定部１５０には、操作子部１３１の各行に対応する出力ｃｈ設定部１５１を設け、その各出力ｃｈ設定部１５１には、それぞれｃｈ名表示部１５２、出力レベル設定部１５３、ＯＮ／ＯＦＦ設定スイッチ１５４を設けている。
そして、各入力ｃｈ設定部１４１にはそれぞれ１つの入力ｃｈが割り当てられ、各出力ｃｈ設定部１５１にはそれぞれ１つの出力ｃｈが割り当てられる。
【００３５】
また、各操作子部１３１には、同じ列の入力ｃｈ設定部１４１に割り当てられた入力ｃｈから同じ行の出力ｃｈ設定部１５１に割り当てられた出力ｃｈへの出力が割り当てられ、操作子部１３１中の各操作子は、その出力に関するパラメータを設定するための操作子となる。すなわち、つまみ１３２は、その出力に関するフェーダ４７での送出レベルを設定するための操作子であり、ＯＮ／ＯＦＦ設定スイッチ１３４はその出力に関するＯＮ／ＯＦＦスイッチ４６のＯＮ／ＯＦＦをトグルで設定するためのスイッチである。なお、つまみ１３２は、その指示部１３２ａの位置により、設定されている送出レベルの値も表示する。また、送出レベル表示部１３３は、設定されている送出レベルの値を数値で表示する表示部である。
【００３６】
なお、８×８操作子部１３０にはメインカーソル１３５を表示し、ＰＣ３０の図示しないキーボード上のカーソルキー、あるいはデジタルミキサ１０の操作パネル上に操作子１５の一部として設けたカーソルキーにより、メインカーソル１３５を上下左右に移動させたり、図示しないポインティングデバイスのクリックによりメインカーソル１３５を任意の位置に移動させたりすることができるようにしている。
そして、つまみ１３２については、メインカーソル１３５の位置のもののみを操作可能としている。この操作は、図１４の処理に関連して後述する値の変更指示に該当する。
【００３７】
また、ＯＮ／ＯＦＦ設定スイッチ１３４は直接のクリックで操作可能であるが、ＯＮ／ＯＦＦ設定スイッチ１３４の位置にメインカーソル１３５を移動させれば、キーボード上あるいは操作パネル上のエンタキー等により操作できるようにしている。
さらに、８×８操作子部１３０には、入力ｃｈグループカーソル１３６及び出力ｃｈグループカーソル１３７も表示するようにしており、これらのカーソルにより、後述するように、８×８操作子部１３０のうち入力ｃｈ一覧部１６０や出力ｃｈ一覧部１７０に設定内容を表示させている部分を示すようにしている。
【００３８】
また、各入力ｃｈ設定部１４１のｃｈ名表示部１４２は、対応する入力ｃｈ設定部１４１に割り当てられている入力ｃｈの名前又は番号を表示する表示部であり、入力レベル設定部１４３は、ボタン１４３ａの操作あるいは値の直接入力によりその入力ｃｈについてのフェーダ４４での送出レベルを設定するためのエリア、ＯＮ／ＯＦＦ設定スイッチ１４４はその入力ｃｈについてのＯＮ／ＯＦＦスイッチ４３のＯＮ／ＯＦＦをトグルで設定するためのスイッチである。
【００３９】
そして、各出力ｃｈ設定部１５１のｃｈ名表示部１５２は、対応する出力ｃｈ設定部１５１に割り当てられている出力ｃｈの名前又は番号を表示する表示部であり、出力レベル設定部１５３は、ボタン１５３ａの操作あるいは値の直接入力によりその出力ｃｈについてのフェーダ６２での送出レベルを設定するためのエリア、ＯＮ／ＯＦＦ設定スイッチ１５４はその出力ｃｈについてのＯＮ／ＯＦＦスイッチ６１のＯＮ／ＯＦＦをトグルで設定するためのスイッチである。
さらに、入力ｃｈ設定部１４１及び出力ｃｈ設定部１５１において、メインカーソル１３５の位置する操作子部１３１と対応する設定部のｃｈ名表示部１４２，１５２は、他の設定部のｃｈ名表示部１４２，１５２と区別できるように表示している。ここでは、ハッチングによってこのことを示している。
【００４０】
また、入力ｃｈ一覧部１６０は、メインカーソル１３５が位置する操作子部１３１と対応する出力ｃｈ設定部１５１に割り当てられている出力ｃｈに対する、各入力ｃｈからの送出レベルとして設定されている値を、送出レベルの設定状態として表示する表示部である。この表示は、入力ｃｈ毎のバーグラフ１６３によって行い、どの出力ｃｈに対する送出レベルを表示中であるかを出力ｃｈ表示部１６１に、各バーグラフ１６３がどの入力ｃｈからの送出レベルを示しているかを入力ｃｈ表示部１６２に表示している。ここでは、バーの黒い部分が長いほど送出レベルが高いことを示している。また、バーグラフ１６３のバーは、ＯＮ／ＯＦＦ設定スイッチ１３４がＯＮ状態であるかＯＦＦ状態であるかを区別できるように表示するようにしており、図ではＯＮ状態の場合に黒塗りのバーで、ＯＦＦ状態の場合にハッチングを付したバーで示している。
【００４１】
一方、出力ｃｈ一覧部１７０は、メインカーソル１３５が位置する操作子部１３１と対応する入力ｃｈ設定部１４１に割り当てられている入力ｃｈからの、各出力ｃｈに対する送出レベルとして設定されている値を送出レベルの設定状態として表示する表示部である。この表示は、出力ｃｈ毎のバーグラフ１７３によって行い、どの入力ｃｈからの送出レベルを表示中であるかを入力ｃｈ表示部１７１に、各バーグラフ１７３がどの出力ｃｈに対する送出レベルを示しているかを出力ｃｈ表示部１７２に表示している。また、バーグラフ１７３のバーの表示形式については、入力ｃｈ一覧部１６０の場合と同様である。
【００４２】
このような入力ｃｈ一覧部１６０や出力ｃｈ一覧部１７０を設けたことにより、ユーザは、ある入力ｃｈからある出力ｃｈへの送出レベルを設定しようとする場合に、その入力ｃｈから各出力ｃｈへの送出レベルや、各入力ｃｈから送出レベルを設定しようとする出力ｃｈへの送出レベルとして設定されている値を容易に幅広く参照することができる。また、この場合において、画面の切り換え操作は不要である。従って、このことにより、送出レベル設定の際の操作性を向上させることができる。
また、バーグラフ１６３，１７３の表示を、ＯＮ／ＯＦＦの状態を区別できるように行うことは必須ではないが、このようにすると、ユーザは、より多くの情報を直感的に把握し易い状態で参照することができるため、操作性を一層向上させることができる。
【００４３】
なお、入力ｃｈ一覧部１６０や出力ｃｈ一覧部１７０の表示は、各操作子部１３１において設定されている設定値に基づいて行い、入力ｃｈ設定部１４１や出力ｃｈ設定部１５１における設定の内容は考慮せずに行っている。このようにすると、入力ｃｈ設定部１４１や出力ｃｈ設定部１５１で送出レベルが低く設定されていたり、ＯＮ／ＯＦＦのＯＦＦが設定されている場合でも、全てのｃｈについて低い送出レベルの表示になったりＯＦＦの表示になったりすることがないので、入力ｃｈと出力ｃｈの各組み合わせと対応する設定内容を見易い状態で参照することができる。しかし、入力ｃｈ設定部１４１や出力ｃｈ設定部１５１における設定の内容を考慮して表示を行うようにすることも考えられる。
また、全てのｃｈについて送出レベルの値が個別に認識できるように表示することも、必須ではない。例えば、バーグラフ１６３，１７３に代えて、折れ線グラフ等の他の形式により表示を行うようにしてもよい。
【００４４】
また、入力ｃｈ一覧部１６０及び出力ｃｈ一覧部１７０には、それぞれカーソル１６４，１７４も表示しているが、これらはそれぞれ、入力ｃｈ設定部１４１に割り当てられている入力ｃｈの範囲及び出力ｃｈ設定部１５１に割り当てられている出力ｃｈの範囲を示すものである。図５の例では、１〜８番目の入力ｃｈが入力ｃｈ設定部１４１に割り当てられ、１〜８番目の出力ｃｈが出力ｃｈ設定部１５１に割り当てられていることを示している。このような表示を行うことにより、ユーザが、入力ｃｈ一覧部１６０及び出力ｃｈ一覧部１７０中での、入力ｃｈ設定部１４１及び出力ｃｈ設定部１５１に割り当てられているｃｈの位置、さらにはメインカーソル１３５がある位置と対応する送出レベルの位置を設定操作の際に容易に認識でき、操作性を向上させることができる。
【００４５】
また、上述した入力ｃｈグループカーソル１３６により、カーソル１６４内のバーグラフと対応する入力ｃｈと出力ｃｈの組み合わせの範囲を８×８操作子部１３０上に表示し、同じく出力ｃｈグループカーソル１３７により、カーソル１７４内のバーグラフと対応する入力ｃｈと出力ｃｈの組み合わせの範囲を８×８操作子部１３０上に表示するようにしている。従って、８×８操作子部１３０中において、入力ｃｈグループカーソル１３６は、メインカーソル１３５がある行を示し、出力ｃｈグループカーソル１３７は、メインカーソル１３５がある列を示すことになる。
【００４６】
なお、入力ｃｈ一覧部１６０又は出力ｃｈ一覧部１７０のうちバーグラフ１６３，１７３の部分をクリック等することにより、入力ｃｈ設定部１４１や出力ｃｈ設定部１５１に割り当てるｃｈを８ｃｈ単位で選択することができる。例えば、入力ｃｈ一覧部１６０中の「２５−３２」の上側のバーグラフ１６３の部分をクリックすると、入力ｃｈ設定部１４１に２５〜３２番目の入力ｃｈを割り当てることができる。また、出力ｃｈ一覧部１７０中の「３３−４０」の右側のバーグラフ１７３の部分をクリックすると、出力ｃｈ設定部１５１に３３〜４０番目の出力ｃｈを割り当てることができる。
ＰＣ３０又はデジタルミキサ１０においては、以上のようなミキサ設定画面により、デジタルミキサ１０において６４ｃｈの入力ｃｈから入力する信号を６４ｃｈの出力ｃｈから出力する場合の各入力チャンネルから各出力チャンネルへの送出レベルの設定指示を受け付け、その指示に従ってデジタルミキサ１０における設定を行うことができる。
【００４７】
次に、図５に示したミキサ設定画面１００上でユーザが種々の操作を行った場合にそれに応じてＰＣ３０のＣＰＵ又はデジタルミキサ１０のＣＰＵ１１（以下、単に「ＣＰＵ」と言った場合にはこれら双方を含むものとする）が実行する処理について、図６乃至図１５のフローチャートを用いて説明する。なお、これらのフローチャートは、送出レベル又はＯＮ／ＯＦＦの設定やそれに関連する表示を行うための処理を示しており、それ以外の処理については、この実施形態の特徴と関係ないため、説明を省略する。
また、これらのフローチャートにおいて、レジスタｉ，ｊ，ＩＧ，ＯＧには、以下の表１に示す情報を記憶させるものとする。
【００４８】
【表１】
2006094238.tif 000003
【００４９】
そして、パラメータ設定部１２０の表示内容や、パラメータ設定部１２０に表示した操作子によって設定指示を受け付けるパラメータの種類を、これらのレジスタの値に従って定めるようにしている。例えば、８×８操作子部１３０の各操作子部１３１中のつまみ１３２によって設定指示を受け付けるパラメータは、ＩＧの値と対応する８個の各入力ｃｈからＯＧの値と対応する８個の各出力ｃｈへの送出レベルの値であり、これらのｃｈの組み合わせは、ＩＧ又はＯＧの値が変更された場合にそれに応じて自動的に変更するようにしている。従ってこの場合、ＣＰＵは、第１の選択手段、第２の選択手段、および割当手段として機能することになる。
【００５０】
ここで、図６乃至図９にそれぞれ、メインカーソル１３５の右、左、上、下への移動指示があった場合に実行する処理のフローチャートを示す。
ＣＰＵは、カーソルキーの操作等によりメインカーソル１３５の右移動が指示されると、図６のフローチャートに示す処理を開始する。
そして、メインカーソル１３５がＯＮ／ＯＦＦ設定スイッチ１３４上になければ、すなわちつまみ１３２上にあれば、ステップＳ１からステップＳ８に進み、メインカーソル１３５を同じ操作子部１３１内のＯＮ／ＯＦＦ設定スイッチ１３４上に移動させて処理を終了する。この場合、レジスタの内容は変更しない。
【００５１】
一方、ステップＳ１でメインカーソル１３５がＯＮ／ＯＦＦスイッチ１３４上にあれば、ステップＳ２以下に進む。この場合、メインカーソルは右側の操作子部１３１のつまみ１３２上に移動させるのであるが、ｊが最大値の８以外であれば、単にｊを１増加させるだけでこのような移動が可能であるので、ステップＳ２からＳ７，Ｓ６と進んでこのような処理を行う。
【００５２】
一方、ｊが８である場合、同一グループ内ではそれ以上メインカーソル１３５を右に移動させられないことから、ステップＳ２からＳ３，Ｓ４，Ｓ５，Ｓ６と進み、ＩＧを１増加させると共にｊを１に設定し、次のグループのうち最も番号の小さい入力ｃｈと対応する操作子部１３１のつまみ１３２上にメインカーソル１３５を移動させる。この場合でも、メインカーソル１３５が元よりもｃｈ番号が１大きい入力ｃｈと対応する操作子部１３１に移動したことになる。また、どちらの場合であっても、メインカーソル１３５が異なる操作子部１３１に移動することになるので、ステップＳ６の後はこれに対応する表示の書き換えを行うための表示書き換え処理（ＳＸ）を行ってから処理を終了する。
なお、ステップＳ３でＩＧが最大値の８である場合にはメインカーソル１３５はそれ以上右に移動させられないので、そのまま処理を終了する。
【００５３】
また、ＣＰＵは、メインカーソル１３５の左移動が指示されると、図７のフローチャートに示す処理を開始する。
この処理は、メインカーソル１３５を図６の場合と逆向きに移動させる処理であり、処理の考え方は図６の場合とほぼ同様である。すなわち、例えばメインカーソル１３５がＯＮ／ＯＦＦ設定スイッチ１３４上にあった場合にはこれを同じ操作子部１３１内のつまみ１３２上に移動させる（Ｓ１１，Ｓ１８）。また、つまみ１３２上にあった場合には左側の操作子部１３１のＯＮ／ＯＦＦ設定スイッチ上に移動させる（Ｓ１２，Ｓ１７，Ｓ１６）。そして、一番左の列の操作子部１３１のつまみ１３２上にあった場合には、前のグループのうち最も番号の大きい入力ｃｈと対応する操作子部１３１のつまみ１３２上にメインカーソル１３５を移動させる（Ｓ１３〜Ｓ１６）のである。メインカーソル１３５が別の操作子部１３１上に移動した場合に表示書き換え処理（ＳＸ）を行うことや、メインカーソル１３５をそれ以上左に移動させられない場合にそのまま終了することも、図６の場合と同様である。
【００５４】
また、ＣＰＵは、メインカーソルの上移動が指示されると、図８のフローチャートに示す処理を開始する。
この処理も、メインカーソル１３５の移動方向が上方向に変わったのみで、処理の考え方は図６の場合と同様である。ただし、メインカーソル１３５を縦方向に移動させる場合、つまみ１３２上からＯＮ／ＯＦＦ設定スイッチ１３４上あるいはその逆の移動をすることはないので、この移動に関する処理はない。
すなわち、メインカーソル１３５が一番上の行の操作子部１３１になければｉを１減少させてメインカーソル１３５を一行上の操作子部１３１に移動させ（Ｓ２１，Ｓ２６，Ｓ２５）、一番上の操作子部１３１にあれば、前のグループのうち最も番号の大きい出力ｃｈと対応する操作子部１３１にメインカーソル１３５を移動させる（Ｓ２２〜Ｓ２５）のである。メインカーソル１３５が別の操作子部１３１上に移動した場合に表示書き換え処理（ＳＸ）を行うことや、メインカーソル１３５を上に移動させられない場合にそのまま終了することは、図６の場合と同様である。
【００５５】
さらに、ＣＰＵは、メインカーソルの下移動が指示されると、図９のフローチャートに示す処理を開始する。しかし、この処理は、メインカーソル１３５の移動方向が下方向である点に伴って図８に示した処理と若干異なるが、これと概ね同様な処理であるので、詳細な説明は省略する。そして、この処理により、メインカーソル１３５が一番下の行の操作子部１３１になければ一行下の操子部１３１に移動させ（Ｓ３１，Ｓ３６，Ｓ３５）、一番下の操作子部１３１にあれば、次のグループのうち最も番号の小さい出力ｃｈと対応する操作子部１３１に移動させる（Ｓ３２〜Ｓ３５）ことができる。
【００５６】
次に、図１０に、図６乃至図９に示した表示書き換え処理のフローチャートを示す。
この処理においては、ＣＰＵはまず、図６乃至図９の処理においてＩＧ又はＯＧの値が変化したか否か判断する（Ｓ４１）。そして、ＯＧに変化があった場合には、出力ｃｈ一覧部１７０のカーソル１７４を、ＯＧの変化に応じて新たに出力ｃｈ設定部１５１に割り当てられる出力ｃｈのグループを示す位置に移動させると共に（Ｓ４２）、各出力ｃｈ設定部１５１の表示内容を、ＯＧの新たな値に応じた出力ｃｈに関するものに更新する（Ｓ４３）。一方、ＩＧに変化があった場合には、入力ｃｈ一覧部１６０のカーソル１６４を、ＩＧの変化に応じて新たに入力ｃｈ設定部１４１に割り当てられる入力ｃｈのグループを示す位置に移動させると共に（Ｓ４４）、各入力ｃｈ設定部１４１の表示内容を、ＩＧの値に応じた入力ｃｈに関するものに更新する（Ｓ４５）。
【００５７】
そして、これらのいずれの場合も、８×８操作子部１３０の各操作子部１３１と対応する入力ｃｈと出力ｃｈの組み合わせが変化することから、各操作子部１３１の表示内容も、ＯＧ及びＩＧの新たな値に対応するものに更新し（Ｓ４６）、ステップＳ４７以降に進む。ステップＳ４１でＩＧにもＯＧにも変化がなかった場合にはそのままステップＳ４７以降に進む。
【００５８】
そして、ステップＳ４７では、ｉとｊのどちらが変化したか判断する。図６乃至図９の記載からわかるように、表示書き換え処理を行う場合には、ｉとｊの少なくとも一方は変化しているはずである。
そして、ｊが変化していれば、メインカーソル１３５の位置と対応する入力ｃｈが変化したことになるので、ステップＳ４８で、出力ｃｈ一覧部１７０の表示内容を、ＩＧとｊの新たな値に応じた入力ｃｈ、すなわちメインカーソル１３５の新たな位置と対応する入力ｃｈ、から各出力ｃｈに対する送出レベル及びＯＮ／ＯＦＦとして設定されている値の表示に更新し、ステップＳ５０に進む。なお、この更新には、入力ｃｈ表示部１７１の更新も含む。
【００５９】
一方、ｉが変化していれば、メインカーソル１３５の位置と対応する出力ｃｈが変化したことになるので、ステップＳ４９で、入力ｃｈ一覧部１６０の表示内容を、ＯＧとｉの新たな値に応じた出力ｃｈ、すなわちメインカーソル１３５の新たな位置と対応する出力ｃｈ、への各入力ｃｈからの送出レベル及びＯＮ／ＯＦＦとして設定されている値の表示に更新してステップＳ５０に進む。なお、この更新には、出力ｃｈ表示部１６１の更新も含む。
そして、ステップＳ５０では、入力ｃｈグループカーソルを１３６をｉの値に応じた行に移動させ、出力ｃｈグループカーソル１３７をｊの値に応じた列に移動させ、メインカーソル１３５の新たな位置や入力ｃｈ一覧部１６０及び出力ｃｈ一覧部１７０の新たな表示内容と整合させて元の処理に戻る。
以上の処理により、メインカーソル１３５の移動に伴って必要となるパラメータ設定部１２０の表示の更新を行うことができる。なお、この処理において、ＣＰＵは、ステップＳ４８では第１の表示制御手段として、ステップＳ４９では第２の表示制御手段としてそれぞれ機能する。以後説明する処理においても、入力ｃｈ一覧部１６０及び出力ｃｈ一覧部１７０や各グループカーソル１３６，１３７の書き換えに関する処理については同様である。
【００６０】
次に、図１１に、入力ｃｈ一覧部１６０で入力ｃｈのグループの選択指示があった場合に実行する処理のフローチャートを示す。
ＣＰＵは、入力ｃｈのグループが選択されると、図１１のフローチャートに示す処理を開始する。そして、ＩＧに選択されたグループのグループ番号をセットし（Ｓ５１）、入力ｃｈ一覧部１６０のカーソル１６４をそのグループを示す位置に移動する（Ｓ５２）。そして、ＩＧの変化により、各入力ｃｈ設定部１４１に割り当てられる入力ｃｈが変化することから、それに応じて各入力ｃｈ設定部１４１、出力ｃｈ一覧部１７０、および各操作子部１３１の表示内容を、新たなＩＧの値に対応するものに変更して（Ｓ５３乃至Ｓ５５）処理を終了する。
【００６１】
また、図１２に、出力ｃｈ一覧部１７０で出力ｃｈのグループの選択指示があった場合に実行する処理のフローチャートを示す。
ＣＰＵは、出力ｃｈのグループが選択されると、図１２のフローチャートに示す処理を開始する。そして、ＯＧに選択されたグループのグループ番号をセットし（Ｓ６１）、出力ｃｈ一覧部１７０のカーソル１７４をそのグループを示す位置に移動する（Ｓ５２）。そして、ＯＧの変化により、各出力ｃｈ設定部１５１に割り当てられる出力ｃｈが変化することから、それに応じて各出力ｃｈ設定部１５１、入力ｃｈ一覧部１６０、および各操作子部１３１の表示内容を、新たなＯＧの値に対応するものに変更して（Ｓ６３乃至Ｓ６５）処理を終了する。
【００６２】
以上の図１１及び図１２に示した処理により、入力ｃｈ設定部１４１や出力ｃｈ設定部１５１に８ｃｈ単位で入力ｃｈや出力ｃｈを割り当てると共に、割り当ての変更に伴って必要な表示の更新を行うことができる。なお、これらの処理において、ＣＰＵは、図１１のステップＳ５４では第１の表示制御手段として、図１２のステップＳ６３では第２の表示制御手段としてそれぞれ機能する。
【００６３】
次に、図１３に、８×８操作子部１３０でつまみ１３２又はＯＮ／ＯＦＦ設定スイッチ１３４の選択指示があった場合に実行する処理のフローチャートを示す。
この実施形態では、ユーザが８×８操作子部１３０中のつまみ１３２又はＯＮ／ＯＦＦ設定スイッチ１３４をマウスでクリックする等して選択することにより、メインカーソル１３５を直接その位置に移動させることができる。そしてこのため、ＣＰＵは、上記の選択指示があると図１３のフローチャートに示す処理を開始する。
この処理においては、まずｉ，ｊに選択（クリック）されたつまみ１３２又はＯＮ／ＯＦＦ設定スイッチ１３４が属する操作子部１３１と対応する値をセットすると共に（Ｓ７１）、メインカーソル１３５をその位置に移動させる（Ｓ７２）。そして、ステップＳ７１の処理によりｉ及び／又はｊの値が変化した場合には、メインカーソル１３５の位置と対応する出力ｃｈ及び／又は入力ｃｈが変化する。そこで、必要に応じて入力ｃｈ一覧部１６０及び出力ｃｈ一覧部１７０の表示内容と、入力ｃｈグループカーソル１３６及び出力ｃｈグループカーソル１３７の位置とを変更して（Ｓ７３乃至Ｓ７８）処理を終了する。
【００６４】
以上の図６乃至図１３に示した処理により、メインカーソル１３５の８×８操作子部１３０中での位置及びその位置と対応する入力ｃｈ及び出力ｃｈの組み合わせを定めることができ、これらの組み合わせについての送出レベルあるいはＯＮ／ＯＦＦを、ユーザから受け付けた操作に応じて変更するパラメータとして選択することができる。すなわち、図６乃至図１３に示した処理、特にＩＧ，ＯＧ，ｉ，またはｊの値を変更する処理において、ＣＰＵが第３の選択手段として機能する。
【００６５】
次に、図１４に、つまみ１３２上にメインカーソル１３５がある状態で値の変更指示があった場合に実行する処理のフローチャートを示す。
このような変更指示は、例えば、マウスのポインタをつまみ１３２に合わせてマウスの左ボタンを押下してそのままマウスをドラッグ操作したり、所定のキーを押下しながらの所定方向（上下や左右）へのマウスやカーソルキーの操作する等により行うことができる。そして、このような変更指示があると、ＣＰＵは図１４のフローチャートに示す処理を開始する。なお、マウスのドラッグの場合、マウスがクリックされた時点で図１３に示した処理を行い、メインカーソル１３５の移動や入力ｃｈ一覧部１６０及び出力ｃｈ一覧部１７０の表示の更新等を行った後、ドラッグ操作に応じて図１４の処理を開始することになる。
【００６６】
そして、この処理においてはまず、変更指示に係る操作量（マウスの移動量やカーソルキーの押下時間等）に基づき、メインカーソル１３５の位置のつまみ１３２に割り当てられている入力ｃｈと出力ｃｈの組み合わせに係る送出レベルの値を変更する（Ｓ８１）。そして、メインカーソル１３５の位置のつまみ１３２及びそのつまみ１３２と対応する送出レベル表示部１３３に、変更後の送出レベルの値を表示する（Ｓ８２）。つまみ１３２に関するこの表示は、指示部１３２ａの位置を変更後の送出レベルの値と対応する位置に移動させることによって行う。
【００６７】
そしてその後、入力ｃｈ一覧部１６０及び出力ｃｈ一覧部１７０の表示を、変更後の送出レベルの値に基づいて更新して処理を終了する（Ｓ８３）。メインカーソル１３５の位置する操作子部１３１で設定するパラメータの値は、入力ｃｈ一覧部１６０及び出力ｃｈ一覧部１７０の双方に表示されているため、このような更新が必要になる。なお、ステップＳ８３における更新は、バーグラフ１６３，１７３の更新のみでよい。
以上の処理により、メインカーソル１３５の位置のつまみ１３２に割り当てられている送出レベルを、受け付けた操作に応じて変更すると共に、その変更に応じてパラメータ設定部１２０の表示を更新することができる。
【００６８】
なお、マウスのドラッグに応じた値の変更指示の内容としては、例えば、つまみ１３２の指示部１３２ａがドラッグされた方向（操作対象のつまみ１３２を基準としてマウスのポインタがある方向）を向くような値にパラメータの値を変更する指示がされたものとすることが考えられる。また、ドラッグ操作されたマウスポインタの、表示器１４の画面内における上下方向の絶対位置に応じた値にパラメータの値を変更する指示がされたものとすることも考えられる。
また、値の変更指示の方法として、上述したもの以外にも、数値入力操作子による数値入力も考えられる。このような数値入力操作子としては、テンキー、ＩＮＣ（増加）／ＤＥＣ（減少）キー、ロータリーエンコーダ等が考えられ、値の確定が必要なパラメータについてはエンタキーにより値の確定を指示するようにすることが考えられる。
【００６９】
次に、図１５に、ＯＮ／ＯＦＦ設定スイッチ１３４上にメインカーソル１３５がある状態で値の変更指示があった場合に実行する処理のフローチャートを示す。
このような変更指示は、例えば、マウスによるクリック、エンタキーの押下等により行うことができる。そして、このような変更指示があると、ＣＰＵは図１５のフローチャートに示す処理を開始する。
そして、この処理においてはまず、メインカーソル１３５の位置のＯＮ／ＯＦＦ設定スイッチ１３４と対応する入力ｃｈと出力ｃｈの組み合わせに係るＯＮ／ＯＦＦの値をトグルで変更する（Ｓ９１）。そして、メインカーソル１３５の位置のＯＮ／ＯＦＦ設定スイッチ１３４の表示を、変更後のＯＮ／ＯＦＦの値に基づいて更新する（Ｓ９２）。
【００７０】
そしてその後、入力ｃｈ一覧部１６０及び出力ｃｈ一覧部１７０の表示を、変更後のＯＮ／ＯＦＦの値に基づいて更新して処理を終了する（Ｓ９３）。この更新は、バーグラフ１６３，１７３の表示態様の更新のみでよい。
以上の処理により、メインカーソル１３５の位置のＯＮ／ＯＦＦ設定スイッチ１３４に割り当てられているＯＮ／ＯＦＦを、受け付けた操作に応じて変更すると共に、その変更に応じてパラメータ設定部１２０の表示を更新することができる。なお、８×８操作子部１３０中でＯＮ／ＯＦＦ設定スイッチ１３４の選択指示があった場合に、図１３に示した処理に続けてこの処理を行うようにしてもよい。
【００７１】
以上で実施形態の説明を終了するが、この発明は以上の実施形態に限定されるものではない。
例えば、ここでは入力ｃｈと出力ｃｈの数がそれぞれ６４ｃｈである例について説明したが、これらの数は任意でよく、また同じ数である必要もない。また、操作子部１３１を８行８列に設け、入力ｃｈと出力ｃｈをそれぞれ８ｃｈずつのグループ（群）に分けて選択する例について説明したが、操作子部１３１の数や、グループ内のｃｈ数も任意であり、入力ｃｈと出力ｃｈについて同数である必要もない。
【００７２】
また、グループ内のｃｈ数よりも細かい単位で入力ｃｈ設定部１４１や出力ｃｈ設定部１５１にｃｈを割り当てることができるようにしてもよい。例えば、図５に示した例において４ｃｈ単位での割り当てを可能とし、「５−１２」や「２１−２８」のような範囲のｃｈを各設定部に割り当てることができるようにしてもよい。
さらに、入力ｃｈや出力ｃｈの数が多い場合には、入力ｃｈ一覧部１６０や出力ｃｈ一覧部１７０に全ての入力ｃｈや出力ｃｈに関する送出レベルの値を表示することも、必須ではない。最低限、操作子部１３１の行数あるいは列数よりも多い数の入力ｃｈや出力ｃｈに関する送出レベルの値を表示するようにすれば、操作性向上の効果を得ることができる。
【００７３】
また、上下左右の移動指示に応じて、メインカーソル１３５を８×８操作子部１３０の範囲を超えて移動させることができるようにしてもよい。例えば、メインカーソル１３５が、上移動指示に応じて入力ｃｈ一覧部１６０に移動できるようにして、その移動後に左右の移動指示に応じて入力ｃｈのグループ選択を行えるようにしてもよい。このようにしても、入力ｃｈグループカーソル１３６及び出力ｃｈグループカーソル１３７を、メインカーソル１３５を８×８操作子部１３０の外に移動させた時点の場所に残しておけば、入力ｃｈ一覧部１６０及び出力ｃｈ一覧部１７０の表示がどのｃｈに関する送出レベルの表示であるかを把握することができる。
【００７４】
さらに、これら以外の点についても、各装置の構成や、ミキサ設定画面１００の構成及び表示形式も、上述したものに限られないことはもちろんである。
例えば、デジタルミキサ１０において、画面の表示やユーザからの操作受付のために必要な表示手段や操作子は、デジタルミキサ１０の本体と一体に設けても、分離して設けてもよい。また、デジタルミキサ１０を、他の装置における送出レベルを設定するための送出レベル設定装置として機能させることも考えられる。
さらにまた、送出レベルの設定対象となる装置が、デジタルミキサ以外の音響信号処理装置であってもよいし、その他の信号処理装置であってもよいことも、もちろんである。
【産業上の利用可能性】
【００７５】
以上の説明から明らかなように、この発明の送出レベル設定装置によれば、複数の入力チャンネルから入力する信号を複数の出力チャンネルに出力する場合の各入力チャンネルから各出力チャンネルへの送出レベルを設定する場合において、設定値を幅広く参照しながら設定を行うことができるようにし、送出レベル設定時の操作性を向上させることができる。従って、この発明を利用すれば、操作性のよい送出レベル設定装置を提供することができる。
【図面の簡単な説明】
【００７６】
【図１】この発明の送出レベル設定装置を用いて送出レベルを設定する対象の音響信号処理装置であるデジタルミキサの構成を示すブロック図である。
【図２】図１に示したデジタルミキサを単体ミキサとして構成する場合のＤＳＰの構成をより詳細に示す図である。
【図３】そのＤＳＰのうち各入力ｃｈからミキシングバスへの信号の入力に関する部分の構成をより詳細に示す図である。
【図４】図１に示したデジタルミキサをミキサエンジンとして構成する場合のＤＳＰのうち、ミキシングバスの構成を、入力ｃｈや出力ｃｈの構成の一部と共に示す図である。
【図５】図１に示したＰＣにおいて送出レベルを始めとするパラメータの値の設定指示を受け付けるためのミキサ設定画面の例を示す図である。
【図６】ＣＰＵが、メインカーソルの右への移動指示があった場合に実行する処理のフローチャートである。
【図７】同じくメインカーソルの左への移動指示があった場合に実行する処理のフローチャートである。
【図８】同じくメインカーソルの上への移動指示があった場合に実行する処理のフローチャートである。
【図９】同じくメインカーソルの下への移動指示があった場合に実行する処理のフローチャートである。
【図１０】図６乃至図９に示した表示書き換え処理のフローチャートである。
【００７７】
【図１１】ＣＰＵが、入力ｃｈ一覧部で入力ｃｈのグループの選択指示があった場合に実行する処理のフローチャートである。
【図１２】同じく出力ｃｈ一覧部で出力ｃｈのグループの選択指示があった場合に実行する処理のフローチャートである。
【図１３】同じく８×８操作子部でつまみ又はＯＮ／ＯＦＦ設定スイッチの選択指示があった場合に実行する処理のフローチャートである。
【図１４】同じくつまみ上にメインカーソルがある状態で値の変更指示があった場合に実行する処理のフローチャートである。
【図１５】同じくＯＮ／ＯＦＦスイッチ上にメインカーソルがある状態で値の変更指示があった場合に実行する処理のフローチャートである。
【符号の説明】
【００７８】
１０…デジタルミキサ、１１…ＣＰＵ、１２…フラッシュメモリ、１３…ＲＡＭ、１４…表示器、１５…操作子、１６…ＰＣＩ／Ｏ、１７…外部機器Ｉ／Ｏ、１８…波形Ｉ／Ｏ、１９…ＤＳＰ、２０…システムバス、２１…アナログ入力、２２…デジタル入力、２３…内蔵エフェクタ、２４…入力パッチ、２５…出力パッチ、２６…アナログ出力、２７…デジタル出力、３０…ＰＣ、４０…入力ｃｈ、４１…エフェクト処理部、４２…遅延処理部、４３，４６，６１…ＯＮ／ＯＦＦスイッチ，４４，４７，６２…フェーダ、４５…プレ／ポストスイッチ、５０…ミキシングバス、５１…加算器、６０…出力ｃｈ、１００…ミキサ設定画面、１１０…シーン選択部、１２０…パラメータ設定部、１３０…８×８操作子部、１３１…操作子部、１３２…つまみ、１３３…送出レベル表示部、１３４，１４４，１５４…ＯＮ／ＯＦＦ設定スイッチ、１３５…メインカーソル、１３６…入力ｃｈグループカーソル、１３７…出力ｃｈグループカーソル、１４０…入力設定部、１４１…入力ｃｈ設定部、１４２，１５２…ｃｈ名表示部、１４３…入力レベル設定部、１５０…出力設定部、１５１…出力ｃｈ設定部、１５３…出力レベル設定部、１６０…入力ｃｈ一覧部、１６１，１７２…出力ｃｈ表示部、１６２，１７１…入力ｃｈ表示部、１６３，１７３…バーグラフ、１６４，１７４…カーソル、１７０…出力ｃｈ一覧部
【図１】
2006094238.tif 000004
【図２】
2006094238.tif 000005
【図３】
2006094238.tif 000006
【図４】
2006094238.tif 000007
【図５】
2006094238.tif 000008
【図６】
2006094238.tif 000009
【図７】
2006094238.tif 000010
【図８】
2006094238.tif 000011
【図９】
2006094238.tif 000012
【図１０】
2006094238.tif 000013
【図１１】
2006094238.tif 000014
【図１２】
2006094238.tif 000015
【図１３】
2006094238.tif 000016
【図１４】
2006094238.tif 000017
【図１５】
2006094238.tif 000018